(57)【要約】【課題】  限られたスペースに多くの機能を分かりやすく表示して、機能の選択を容易にし、使い勝手を向上させることができる移動電話装置を提供する。【解決手段】  記憶部４に、装置に備えられている機能に対応し、その機能を表現するアイコンを一覧表示するアイコン一覧表の表示データと、アイコン一覧表におけるカーソル位置と入力機能とを対応させる機能対応テーブル４１とを備え、制御部２が、アイコンの一覧においてアイコンの選択位置を移動するキー操作に応じてアイコンの選択位置を移動し、アイコンを確定するキー操作に応じて選択されたアイコンに対応する機能を記憶部４を参照して特定する移動電話装置である。【選択図】        図１
2004336810.tif 000002
【特許請求の範囲】
【請求項１】
移動電話機が備える複数の機能を表現する複数のアイコンを記憶し、当該アイコンの選択位置と機能を対応させて記憶する記憶部と、
記憶している複数の機能を表現するアイコンを一覧で表示する表示部と、
当該一覧で表示されているアイコンの選択位置を移動するキーと、アイコンを確定するキーとを備えた入力部とを有する移動電話装置であって、
表示部に表示されているアイコンの一覧においてアイコンの選択位置を移動するキー操作に応じてアイコンの選択位置を移動し、アイコンを確定するキー操作に応じて選択されたアイコンに対応する機能を記憶部を参照して特定することを特徴とする移動電話装置。
【発明の詳細な説明】
【技術分野】
【０００１】
本発明は、自動車電話や携帯電話等の移動電話装置に係り、特に装置に備えられている複数の機能を分かり易く表示し、機能の選択を容易にして、使い勝手を向上させることができる移動電話装置に関する。
【背景技術】
【０００２】
自動車電話や携帯電話等の移動電話装置は、近年急速に普及しており、最近では様々な付加機能が要求されている。移動電話装置は、装置自体が小型であるため、表示部の面積が限られており、付加機能（機能）の実行時に、装置が備えている全ての機能の名称を同時に表示するのは困難である。
【０００３】
そこで、従来の移動電話装置としては、各機能に特定の番号を割り付けて、機能と番号とを対応させる対応テーブルを記憶部に記憶しておき、機能を実行させるためのキー（例えば「機能」キー）が押下された後で、番号が入力された場合に、制御部が、テーブルを参照して、入力された番号に対応する機能を確定し、実行するものがあった。
【０００４】
従来の移動電話装置における機能選択実行時の処理について図６を用いて説明する。図６は、従来の移動電話装置における機能選択実行時の処理を示すフローチャート図である。
図６に示すように、従来の移動電話装置の制御部は、「機能」キーが入力される（１００）と、機能選択モードに移行し、番号が入力される（１０２）と、対応テーブルを参照して入力番号に対応する機能を実行し（１０４）、通常モードに戻って処理を終了する。このようにして、従来の移動電話装置における機能選択実行時の処理が行われるようになっていた。
【０００５】
また、別の従来の移動電話装置としては、機能名称を登録したテーブルを備え、「機能」キー押下により機能選択モードに移行して、１つの機能名称を表示し、その後、スクロールキーが押下されると、テーブルに従って表示する機能名称を順次スクロールしていき、確定キーが押下された場合に表示されている機能を実行するものもあった。
【０００６】
別の従来の移動電話装置の機能選択実行時の処理について図７を用いて説明する。図７は、別の従来の移動電話装置における機能選択実行時の処理を示すフローチャート図である。
図７に示すように、別の従来の移動電話装置の制御部は、「機能」キーが入力される（２００）と、記憶部に記憶されているテーブルに従って先頭の機能名称を表示し（２０２）、「スクロール」又は「確定」キーのいずれが入力されたかを判断する（２０４）。
「スクロール」キーが入力された場合には、処理２０２に戻って、テーブルから次の機能名称を読み取って表示する。
処理２０４において「確定」キーが入力された場合には、表示されている機能を実行する（２０６）。このようにして別の従来の移動電話装置における機能選択実行時の処理が行われるようになっていた。
【発明の開示】
【発明が解決しようとする課題】
【０００７】
しかしながら、上記従来の移動電話装置の内、機能に割り付けられた番号を入力するものでは、利用者は、各機能とそれに対応する番号とを覚えておかなければ機能が使えず、機能の数が多くなると、全て覚えるのは極めて困難であり、取扱説明書を携帯してその都度参照しなければならず、不便であるという問題点があった。
【０００８】
また、上記従来の移動電話装置の内、機能名称をスクロールして表示させるものでは、機能の数が多くなると、利用者は、目的の機能を表示させるためにスクロール操作を何度も繰り返さなければならず、操作が煩わしいという問題点があり、更に、機能名称の表示は利用者に理解できる言語でなければならないため、言語の異なる国で使用する場合にはその国の言語に合わせて表示文字を変えなければならず、コストが高くなってしまうという問題点があった。
【０００９】
本発明は上記実情に鑑みて為されたもので、多くの機能を分かりやすく表示して、機能の選択を容易にし、使い勝手を向上させることができ、また、言語の異なる国で使用する場合にも表示を変える必要がなく、コストを低減することができる移動電話装置を提供することを目的とする。
【課題を解決するための手段】
【００１０】
上記従来例の問題点を解決するための本発明は、移動電話機が備える複数の機能を表現する複数のアイコンを記憶し、当該アイコンの選択位置と機能を対応させて記憶する記憶部と、記憶している複数の機能を表現するアイコンを一覧で表示する表示部と、当該一覧で表示されているアイコンの選択位置を移動するキーと、アイコンを確定するキーとを備えた入力部とを有する移動電話装置であって、表示部に表示されているアイコンの一覧においてアイコンの選択位置を移動するキー操作に応じてアイコンの選択位置を移動し、アイコンを確定するキー操作に応じて選択されたアイコンに対応する機能を記憶部を参照して特定することを特徴としており、表示部の面積が小さくても、一度に多くの機能を分かり易く表示することができ、利用者は、アイコン一覧表上でカーソルを移動させることにより容易に所望の機能を選択して実行することができ、利便性を向上させることができる。
【発明の効果】
【００１１】
本発明の移動電話装置は、移動電話機が備える複数の機能を表現する複数のアイコンを記憶し、当該アイコンの選択位置と機能を対応させて記憶する記憶部と、記憶している複数の機能を表現するアイコンを一覧で表示する表示部と、当該一覧で表示されているアイコンの選択位置を移動するキーと、アイコンを確定するキーとを備えた入力部とを有する移動電話装置であって、表示部に表示されているアイコンの一覧においてアイコンの選択位置を移動するキー操作に応じてアイコンの選択位置を移動し、アイコンを確定するキー操作に応じて選択されたアイコンに対応する機能を記憶部を参照して特定する移動電話装置としているので、一度に多くの機能を分かり易く表示することができ、利用者は、アイコン一覧表上でカーソルを移動させることにより容易に所望の機能を選択して実行することができ、利便性を向上させることができる効果がある。
【発明を実施するための最良の形態】
【００１２】
本発明の実施の形態について図面を参照しながら説明する。
本発明の実施の形態に係る移動電話装置（本装置）は、各機能に１対１に対応するアイコンの表示データを備えておき、機能選択実行時には、表示部に機能をアイコンで表示して、カーソルによって選択されたアイコンの機能を実行するようにしており、限られたスペースに多くの機能を分かりやすく表示して、選択し易くしたものである。
【００１３】
図１は、本発明の実施の形態に係る移動電話装置（本装置）の構成ブロック図である。
図１に示すように、本装置は、キーマトリクスから成る入力部１と、装置全体の制御を行う制御部２と、アイコンのパターンを記憶している記憶部４と、ドットマトリクスＬＣＤから成る表示部５と、表示部５を駆動するＬＣＤドライバ３と、駆動回路としてのコモン３１及びセグメント３２とから構成されている。
【００１４】
次に、各構成部分について具体的に説明する。
まず、入力部１は、通常の数字キーの他、表示部に表示されるカーソルを上下左右に移動させる十字キー１１を備えている。十字キー１１により、カーソルを上下左右の何れかに移動させる移動データが入力され、制御部２が移動データを読み取って、ＬＣＤドライバ３に指示を出力し、カーソルを移動させるようになっている。
【００１５】
表示部５は、ドットマトリクスＬＣＤから成り、アイコンの細かいパターンを表示することができるものである。ドットマトリクスＬＣＤには、行毎の共通電極としてのコモン３１と、列毎に信号電圧を印可するセグメント３２とが設けられている。
ＬＣＤドライバ３は、ドットマトリクスＬＣＤを駆動するものであり、制御部２からの指示に従って、コモン３１とセグメント３２とを制御して、表示部５に所望のパターンを表示させるようになっている。
【００１６】
また、記憶部４は、本装置の特徴である機能を表すアイコン一覧表の表示データと、アイコン一覧表におけるカーソル位置と各機能とを対応させる機能対応テーブル４１とを記憶するものである。
【００１７】
ここで、アイコン一覧表について図２を用いて簡単に説明する。図２は、アイコン一覧表の表示例を示す模式説明図である。
本装置では、個々の機能をそれぞれ対応するアイコンで表示するようにしており、予め設定された特定キー（例えば「機能」キー、図示せず）の押下によりアイコン一覧表を表示するようになっている。
【００１８】
図２に示すように、アイコン一覧表は、本装置に備えられている全ての付加機能をアイコンによって表す一覧表であり、個々のアイコン（○，●，◎，…）は機能に１対１に対応している。
図２の例では、機能の内容を的確に表したアイコンにはなっていないが、実際には、各アイコンのパターンは、各機能の内容を的確に表すようにデザインされているものとした方が望ましい。
【００１９】
これにより、利用者は、機能を覚えていなくてもアイコン一覧表を見て所望の機能を選択することができるものである。また、アイコン表示は、文字で機能名称を表示する場合に比べて、表示に必要な面積が小さくて済むため、一度に多くの機能を表示することができ、表示部の大きさが限られている小型の移動電話装置にとっては特に都合がよい。更に、アイコンは言語に無関係の表示なので、使用言語が異なる国で用いる場合でも、表示データを変える必要がなく、コストを低減することができるものである。
【００２０】
本装置では、アイコン一覧表において表示されるカーソルを、入力部１の十字キー１１を用いて移動させて、所望のアイコン上にカーソルを置き、入力部１の確定キー（図示せず）を押下することにより機能を確定するようになっている。図２の例ではアイコン一覧表の「○」の位置にカーソルがあり、確定キーが押下された場合には、アイコン「○」が示す機能を実行する。
【００２１】
次に、記憶部４に記憶されている機能対応テーブル４１について図３を用いて説明する。図３は、機能対応テーブル４１の模式説明図である。
図３に示すように、記憶部４に記憶されている機能対応テーブル４１は、各アイコン毎に、機能とアイコン一覧表におけるカーソル位置とを対応させるものであり、アイコン一覧表において入力されたカーソル位置に対応する機能を特定するものである。
【００２２】
従って、利用者は、十字キー１１を用いてアイコン一覧表上で自由にカーソルを移動させて、機能を選択することができ、従来のように何度もスクロール操作を行う必要がなく、所望の機能を容易に選択入力できるものである。
【００２３】
そして、制御部２は、予め設定された特定キー（「機能」キー等）の押下により記憶部４からアイコン一覧表の表示データを読み取ってアイコン一覧表を表示し、入力部１の十字キー１１から入力された移動データに従ってカーソルを移動させ、入力部１の確定キーが入力されると、機能対応テーブル４１を参照して、カーソル位置に対応する機能を読み取り、指定された機能を実行するものである。
【００２４】
次に、本装置の制御部の動作について図４を用いて説明する。図４は、本装置の制御部２における機能選択実行時の処理を示すフローチャート図である。
図４に示すように、入力部１の「機能」キー（図示せず）が入力される（３００）と、制御部２は、記憶部４からアイコン一覧表の表示データを読み取ってＬＣＤドライバ３に出力し、表示部５にアイコン一覧表を表示する（３０２）。
【００２５】
そして、確定キーと十字キー１１のいずれが入力されたかを判断し（３０４）、十字キー１１が入力された場合には、入力された移動データを読み取り、移動データに従ってカーソルを移動させる指示をＬＣＤドライバ３に出力し、カーソルを移動する（３０６）。
【００２６】
また、処理３０４において確定キーが入力された場合には、カーソル位置を読み取って、記憶部４の機能対応テーブル４１を参照して、カーソル位置に対応する機能を読み取り（３０８）、読み取った機能を実行する（３１０）。このようにして本装置の制御部２における機能選択実行時の処理が行われるものである。
【００２７】
次に、カーソル移動時の表示例について図５を用いて説明する。図５は、アイコン一覧表におけるカーソル移動の表示例を示す説明図である。
図５に示すように、機能キーが押下されると、例えば、（ａ）に示すアイコン一覧表を表示する。次に、十字キー１１により「→」が入力されるとカーソル位置は（ｂ）に示すように右に移動する。更に、十字キー１１により「↓」と、「←」が入力されると、入力に従ってカーソル位置は、（ｃ）（ｄ）に示すように順次移動するようになっている。
【００２８】
本発明の実施の形態に係る移動電話装置によれば、記憶部４に、装置に備えられている機能と１対１に対応するアイコンを一覧表示するアイコン一覧表の表示データと、アイコン一覧表におけるカーソル位置と入力機能とを対応させる機能対応テーブル４１とを備え、「機能」キーが入力されると、制御部２が、アイコン一覧表の表示データを出力してアイコン一覧表を表示し、アイコン一覧表上においてカーソルによってアイコンが選択されると、機能対応テーブル４１を参照して、選択された機能を特定し、機能を実行するようにしているので、文字で表示する場合に比べて、一度に多くの機能を表示することができ、利用者は、アイコン一覧表上でカーソルを移動させることにより容易に所望の機能を選択して実行することができ、利便性を向上させることができる効果がある。
【００２９】
また、一覧表上でカーソルを移動させるのは、目で確認しながら行うことができるため、所望の機能がいつ出てくるのかわからない従来のスクロール表示に比べて使い易いという効果がある。
【００３０】
更に、アイコン表示は、言語に無関係であるため、使用言語が異なる国で用いる場合にも、表示パターンを変更する必要がなく、コストを低減することができる効果がある。
【産業上の利用可能性】
【００３１】
本発明は、装置に備えられている複数の機能を分かり易く表示し、機能の選択を容易にして、使い勝手を向上させることができる移動電話装置に適している。
【図面の簡単な説明】
【００３２】
【図１】本発明の実施の形態に係る移動電話装置（本装置）の構成ブロック図である。
【図２】本装置におけるアイコン一覧表の表示例を示す模式説明図である。
【図３】機能対応テーブル４１の模式説明図である。
【図４】本装置の制御部２における機能選択実行時の処理を示すフローチャート図である。
【図５】アイコン一覧表及びカーソル移動時の表示例を示す説明図である。
【図６】従来の移動電話装置における機能選択実行時の処理を示すフローチャート図である。
【図７】別の従来の移動電話装置における機能選択実行時の処理を示すフローチャート図である。
【符号の説明】
【００３３】
１…入力部、  ２…制御部、  ３…ＬＣＤドライバ、  ４…記憶部、  ５…表示部、  １１…十字キー、  ３１…コモン、  ３２…セグメント、  ４１…機能対応テーブル
【図１】
2004336810.tif 000003
【図２】
2004336810.tif 000004
【図３】
2004336810.tif 000005
【図４】
2004336810.tif 000006
【図５】
2004336810.tif 000007
【図６】
2004336810.tif 000008
【図７】
2004336810.tif 000009